(57)【要約】【課題】  地球温暖化問題での炭酸ガスの量を減少させる有望な方法のＬＥＤ照明器具は既成の照明具と比較して高い価格がその普及を阻んでいる。その一因はＬＥＤチップにあるが、それ以外の部品も工夫によって、コストを下げる事は不可能ではない。そのコストが既存有害水銀を含む蛍光灯と同等以下になれば一気にＬＥＤ照明器具が普及して、温室ガスも削減も現実的なものになってくる。【解決手段】本発明は一個で数ワット以上のハイパワーＬＥＤパッケージで任意形状の光導光筒に熱伝導率の高いヒートシンク材とＬＥＤとドライバーをＩＣレベルで一体化したＣＯＤ（Ｃｈｉｐ  Ｏｎ  ｔｈｅ  Ｄｒｉｖｅｒ）と特殊インターフェース光整合アダプター（ＯＭＡ）で一体化したＬＥＤ照明器具。【選択図】図１
2011171262.tif 000002
【特許請求の範囲】
【請求項１】
中空導光体とＬＥＤを組み合わせた中空導光体型ＬＥＤ照明装置。
【請求項２】
請求項１に記載の中空導光体型ＬＥＤ照明装置において任意の断面形状の中空透明導光筒にナノ蛍光粉を混合または化合した中空導光体型ＬＥＤ照明装置。
【請求項３】
請求項１に記載の中空導光体型ＬＥＤ照明装置において任意の断面形状の中空透明導光筒に一方または両端からＬＥＤ発光素子の光を導入する装置。
【請求項４】
請求項１に記載の中空導光体ＬＥＤ照明装置に使用される任意の断面形状導光筒から軸に垂直方向に数度から３６０まで任意の角度で照射可能な装置。
【請求項５】
請求項１に記載の中空導光体型ＬＥＤ照明装置に使用されている熱伝達率がダイヤモンドに近い超高効率ヒートシンク材料ＭＭ（Ｍａｇｉｃ  Ｍａｔｅｒｉａｌ）。
【請求項６】
請求項１で使用されている高効率ヒートシンク材料の大規模集積回路ＣＰＵやパワー半導体やソーラーセル、熱交換器など他分野での利用。
【請求項７】
請求項１に記載の中空導光体型ＬＥＤ照明装置で仕様されている中空導光体に水などの液体を封入し、電気回路的には絶縁をしつつ、ヒートシンクと熱的結合により、より多くの発熱を吸収させる装置。
【請求項８】
請求項１に記載の中空導光体型ＬＥＤ照明装置において任意の断面形状の中空透明導光筒と組みになって使用されるＬＥＤ素子と集積回路型ＬＥＤドライバーを一体にしたチップオンドライバー（ＣＯＤ）。
【請求項９】
請求項１に記載の中空導光体型ＬＥＤ照明装置において任意の断面形状の中空透明導光筒とチップオンドライバー（ＣＯＤ）のインターフェースとなる光整合アダプター（ＯＭＡ）。
【請求項１０】
光整合アダプター（ＯＭＡ）を複数、発光側とＬＥＤ＋ＣＯＤ＋ヒートシンク側に設置しその間をフレキシブル導光管で接続することで熱処理をアクセツの用意な場所でまとめて管理することで温度管理を大幅に容易にする装置。
【請求項１１】
上記請求項１から請求項８までの装置を円環（サークルライン）にした円形のＬＥＤ照明装置。
【請求項１２】
上記請求項１から請求項１１までの装置を電球型にした電球型ＬＥＤ照明装置。
【発明の詳細な説明】
【技術分野】
【０００１】本発明はＬＥＤ発光素子を使った電球や蛍光灯管などのギラツキを減らしかつ照明器具の実効的明るさを保ちつつひいては部品点数の少ない低７８価格で広汎な普及を狙った中空導光体（導光体＝導光筒）を用いた普及型簡易構造ＬＥＤ照明装置に関する。
【背景技術】
【０００２】近年、緑の地球を維持するのに危険信号がだされている。そのひとつとして地球温暖化を防止する方策が京都議定書の発行以来緊急に求められているが、いまだ安価で有効な方法がみつかっていない。【０００３】そのためには使用している既存のエネルギーの消費量を減らす方法を考えるか、新たなエネルギー源を考案するかが必要である。【０００４】エネルギー源としては太陽エネルギー、風力エネルギーまたはバイオマスエネルギーなどのクリーンで再生可能な自然エネルギーが精力的に開発研究されているが、２０１０年２月の現時点ではいずれもコストパーフォーマンスの点で旧来の化石燃料を上回るものは実現されていない。【０００５】一般にはエネルギー源には二種類に分けられる。自動車や航空機などの動力エネルギー源につかわれるガソリンや、調理などの燃焼熱エネルギー源につかわれる天然ガスなどの形態をもつものと、電車などの電動機などに化石燃料や原子力から変換された電気エネルギーの形態を持つ物とが存在する。【０００６】そして、電気エネルギーは二種類に大別される。エアコンや原動機（モーター）などの動力につかわれる電気エネルギーと、照明に使われる電気エネルギーである。
【発明の概要】
【発明が解決しようとする課題】
【０００７】  本発明はエネルギーのなかでも照明エネルギーの節約に貢献するものである。国内の送電力生産量は２００１０年推定量は約１兆ｋＷ時で、そのうち２０％前後が照明電力とされる。
（ｈｔｔｐ：／／ｗｗｗ．ｉａｅ．ｏｒ．ｊｐ／ｅｎｅｒｇｙｉｎｆｏ／ｅｎｅｒｇｙｄａｔａ／ｄａｔａ１００６．ｈｔｍｌ）
また一人当たりの電灯使用量はデータ（帝国書院）
ｈｔｔｐ：／／ｗｗｗ．ｔｅｉｋｏｋｕｓｈｏｉｎ．ｃｏ．ｊｐ／ｓｔａｔｉｓｔｉｃｓ／ｊａｐａｎ／ｉｎｄｅｘ８０．ｈｔｍｌによれば、２０００ｋＷ時である。日本の人口を約１．２８億人であるので、２６００億ｋＷ時／年が使用量になり、これは電力生産量の２６％に相当している。【０００８】この照明電力の内訳は２００５年時には蛍光灯が７３％、電球＋ハロゲン電球が１２％を、ＨＩＤランプが１３％を占める。
（″ｈｔｔｐ：／／ｗｗｗ．ｍｅｔｉ．ｇｏ．ｊｐ／ｃｏｍｍｉｔｔｅｅ／ｍａｔｅｒｉａｌｓ／ｄｏｗｎｌｏａｄｆｉｌｅｓ／ｇ７０８０８ａ０６ｊ．ｐｄｆ″
ｈｔｔｐ：／／ｗｗｗ．ｍｅｔｉ．ｇｏ．ｊｐ／ｃｏｍｍｉｔｔｅｅ／ｍａｔｅｒｉａｌｓ／ｄｏｗｎｌｏａｄｆｉｌｅｓ／ｇ７０８０８ａ０６ｊ．ｐｄｆ）【０００９】本発明は消費電力を改良工夫したＬＥＤ照明を用いることでこの２６％の照明電力を低減する方法を提供するものである。具体的にはいま使われている既存照明装置をＬＥＤ照明器具化することにより蛍光灯の電力では５０％、電球では９０％の削減の見通しがあるといわれている。【００１０】ＬＥＤ照明に使用されているＬＥＤチップまたはＬＥＤエミッターの電力から可視光への人間の目の感度を考慮した電気から光への変換効率は２０１０年３月の時点で、１００  ｌｍ／Ｗ前後が標準的である。一方、既存の白熱電球の変換効率は種類によってバラツキはあるものの１０  ｌｍ／Ｗである。また蛍光灯には３種類あり、ナツメ球をつかった効率の低いものからＰＷＭ等のインバーター型の高効率のものまででその範囲は６０−１１０  ｌｍ／Ｗである。注意すべきは蛍光灯や蛍光灯型電球などは有害は水銀を発光材料として使っている事で、これは避けなければいけない。【００１１】しかしながら、ＬＥＤエミッターを照明器具として使用する場合は、ＬＥＤ固有のギラツキと眩しさが過度に強すぎるため眼の健康の維持に問題があると指摘されている。その問題を解決するために半透明の高分子ブラスチックやガラスなどの不透明のカバーを用いてギラツキの問題の解決を図っている例が多く、このために、実効的な電気から光への変換効率が大幅に下がってしまうという問題がある。【００１２】ＬＥＤ照明でのエネルギー節約にはさらに熱損失の問題がある。その一つはＬＥＤドライバーと呼ばれている交流から直流への電圧変換装置と調光などの変換装置である。この損失がものによっては１０％から２０％前後あり、その低減がＬＥＤ照明の課題である。このドライバーを使用しない交流駆動のＬＥＤエミッターも市販されているが、ＬＥＤエミッターそのものの変換効率が直流方式のＬＥＤエミッターに比べて劣っているため、全体としての省エネの効果が落ちてしまう為に広汎な普及には至っていない。【００１３】蛍光灯型ＬＥＤ照明の欠点のひとつにその射出照射角度が狭いことが指摘される場合がある。ＬＥＤ照明では照射角度を狭める事で、無駄な光の消耗をさけ、電力を節約できることになるのであるが、ユーザーによっては、照射角度を用途に応じて制御したい場合も少なく無い。とくに背後あるいは天井の明るさをあげたい要望が多々あるが市販の製品ではほとんどが対応できていない。【００１４】もうひとつの問題は発光ダイオードのジュール損失（オーム損）に起因する熱発生とその処理の問題がある。特に熱を逃がすヒートシンクの問題がある。通常はその材料として特殊な純度の高いアルミニウムを使ってできるかぎりの熱損失に対応しているがその性能がよければよいほどすぐれたＬＥＤ照明が可能となる。充分に熱を処理ができないと、発光素子の接合温度の上昇が避けられず、ひいては寿命の短縮となりＬＥＤ照明の利点が失われることにもなりかねない。【００１５】さらにＬＥＤドライバー自身の電力損失も無視できない場合がある。特に最近はユーザーから調光機能付加の要望も少なくない。ところが一般に調光方式には位相制御（トライアック）方式、ＰＷＭ（パルス幅制御）方式、アナログ電圧制御方式など各種方式が入り乱れて、それぞれ互換性がない場合が少なく無く、各種のＬＥＤドライバー互換性問題を一層複雑にしている。【００１６】ＬＥＤ照明の普及速度は電球型ＬＥＤ照明で加速されてきてはいるが、電球以外のその他の照明ではいまだ、普及からはほど遠いといえる。普及が遅れてきた最大の理由はＬＥＤ発光素子の価格が高く設定されているからであるといわれている。ＬＥＤ発光素子自体は中国、台湾そして韓国できわめて安く製造され、照明の製造原価は決して高価ではないのだが特許問題がからみ日本に輸出しての販売には障害があるといわれている。さらに欧米日の大手の数社が価格提携を組み、価格が高く設定されているといわれている。
【課題を解決するための手段】
【００１７】上述のようにＬＥＤ固有の眩しさを低減し、かつ、ガラスまたはプラスチックまたはアクリルとうのカバー等の透過率を増やすために著者らは、超透過効率の拡散膜を使用し、カバーの機能と機能分離をおこなう事で解決を図った。
（特許出願番号２００９−１７９９７２）【００１８】本発明では上記の発明とは別の新方式を採用する。すなわち、ガラスまたはプラスチックまたはアクリルの光の透過効率をあげるというよりは、これらの材料に蛍光粉を混合し、ガラスカバーまたはプラスチックカバーあるいはアクリルなどの材料自身を発光せしめる。蛍光粉の粒のサイズはミクロン以下のナノのスケールになると相転移がおき、発光の効率があがることが知られているのでナノ蛍光粉を使用する事が望ましい。この時ナノ蛍光粉は光を散乱し、照明装置としては都合がよい。ただし本発明の要素の大部分の請求項はナノ蛍光粉を必要としなくても数多くの利点があり、それぞれの項目が個別的に独自の独創的な主張を行っている。【００１９】これらのナノ蛍光粉を混合した筒の物質の形態は断面が楕円または矩形、多角形などの内部空間をもつ、中空筒または板箱が好ましい。この際、当然楕円は円を含み、内部空洞筒は空洞がない柱状の形態も含む。これをこの概念を代表する照明装置として楕円断面形状導光筒（ＥＰＧＴ−Ｅｌｌｉｐｔｉｃ  Ｐｈｏｔｏ  Ｇｕｉｄｅ  Ｔｕｂｅ）１と名付ける。また楕円形状に限らず矩形や多角形の任意の形状であっても、機能や性能に変化はない。つまるところ任意の断面形状の導光筒でよい。中空構造は重量を増やす事無く発光面の表面積を増やす事で、表面光密度を低減しぎらつきを抑える効果をもたせることになる。この中空構造は通常のコアとクラッドの二重構造のロッドに穴の開けたものも使用可能である。あるいは管は単一の構造で表面のコーテイングや表面の改質で同様の機能をもたせることも可能である。【００２０】この楕円または任意の形状の中空構造物の両端または一端にはＬＥＤ発光素子を配置し主に筒の軸方向に発光素子から光を導入する。このとき、断面が楕円または矩形、多角形の筒または中空構造体はナノ蛍光粉を通して、光量の増幅作用を生じ照明器具の素子としての性能が向上する。【００２１】この楕円または任意の形状の筒または中空構造体は機能上または幾何的形状二つの部分に分ける事ができる。その一つでは、表面を二分割して一方の表面に多重反射を起こさせ、他方の表面から光を取り出す。両者の間は後の”発明を実現する具体的方法”にあるように光整合アダプターの設計にて効率的な導光を行う事が可能である。本発明ではこのアダプターを光整合アダプター（ＯＭＡ）−Ｏｐｔｉｃａｌ  Ｍａｔｃｈｉｎｇ  Ａｄａｐｔｏｒ）２とよぶ。図１には示していないがＯＭＡ２の入射面または出射面にはプリズムレンズやグレーテイング等を備えて集光レンズの機能をもたせている。【００２２】光整合アダプター（ＯＭＡ）２とアクリル等でできた中空導体管１の間に光結合器１０を挿入しその間にフレキシブル光導体１１を挿入することでＬＥＤ発光部＋チップオンドライブ（ＣＯＤ）３から発光部本体である中空導体管の距離を大きく離す事が可能となる。この場合、発熱部を含むＣＯＤ３をアクセスしやすい場所にまとめて設置することが可能となるので、冷却を大幅に簡単にする事ができる。
たとえば発熱部を冷蔵庫の中に設置すること等が可能となり、いままで困難とされていたハイパワーＬＥＤ照明での熱処理の問題が一気に解決される。【００２３】さて反射部５とレンズ等を介した取り出し部６の断面楕円（円）の弧の長さの比（面積の比になる）の割合を変える事で取り出した光の確度分布を自在に制御する事が可能である。すなわち、レーザー光のような平行光や逆に従来の蛍光灯のように２次元断面上の３６０度のすべての角度から光を取り出すことを可能となる。これに反して通常の蛍光灯型ＬＥＤでは背面に大きなヒートシンクを配置しているので取り出す光の角度を広げる事は困難である。このため、どうしても背面あるいは天井部分が暗くなってしまい、コンビニやドラッグストアーなどユーザーの希望に合致しない場合がでてくるが本発明ではこの問題を解決する事が可能となる。この構造は１８０度逆向きの方向への照射を一本で可能とせしめ省スペースなどが可能となる。【００２４】特にアクリルパイプやアクリル板は一端または複数の端部にＬＥＤ素子を配置し、他の面に反射機能やレンズ機構をもたせることで、光導光板にさらに機能を付加できる。その結果、小電力のＬＥＤ素子の数や、はては全体の部品点数までを減少させることが可能となり、組み立ても工数も減らす事が可能となる。その結果としてＬＥＤ照明の製作原価の大幅な低減が可能となる。またこれらのアクリル等バイプは直線方向に円形などを含め自由な形状にも応用可能である。そのため、いままで困難であった従来型のサークルライン蛍光灯状のＬＥＤ代替製品も容易に製造可能である。【００２５】本発明のコンセプトはアクリルなど材料以外にもフレキシブルなプラスチックの光導電体（フレキシブルファイバーやオプテイカルガイド）にも適用可能である。
またその組み合わせも可能である。【００２６】ＢＮ物質またはこれを混合した糊あるいはエポキシなどにより、従来の熱伝達能力をはるかにうわまわりダイヤモンドの性能に近い。この新材料をマジックヒートシンク（ＭＭ−Ｍａｇｉｃ  Ｍａｔｅｒｉａｌ）と名付ける。【００２７】本発明の中空構造は内部に水等の液体を封入することでさらにＬＥＤ照明器具の性能をあげることができる。第一にヒートシンクに熱的連結をすることでさらにＬＥＤエミッターチップパワーを増やす事ができる。第二に水等の液体の屈折率が高いことから光を外に取り出す取り出し効率をあげる事が可能となる。
このとき電気的には絶縁されている。【００２８】水等の液体を封入する場合は内部にアクリルの導光体をその周囲に水等の液体水を封入すれば、一層外部への光の取り出し効率は向上する。
この液体冷却法はＬＥＤチップ周りの電気回路と絶縁されているところにその特徴がある。【００２９】ＬＥＤドライバーは整流回路と調光回路を集積回路（ＩＣ）化することで９５％以上の効率まであげることが可能である。このコンセプトをＬＥＤ発光素子＋集積回路型＝ＬＥＤドライバー（ＣＯＤ−Ｃｈｉｐ  Ｏｎ  Ｄｒｉｖｅｒ）３と名付ける。【００３０】以上は蛍光灯型ＬＥＤ照明での低価格化、高性能熱処理、低損失化、高効率化の解決法案の発明であるが、本発明によるこれらの方法は幾何学的形状の異なる電球型ＬＥＤ照明器具あるいは他の事例にも適用可能であることは自明である。【００３１】以上は蛍光灯型ＬＥＤ照明の場合の装置の説明であったが、基本原理は同様で蛍光灯型ＬＥＤやその他の各種ＬＥＤ照明装置の場合にも適合する。
【発明を実現する具体的方法】
【００３２】本発明を実現する具体的方法を直線型ＬＥＤ照明器具とサークルライン（円環）型と電球型ＬＥＤ照明の三例で説明する。
【００３３】図１は上述の直線型の新蛍光灯型ＬＥＤ照明の概要図を示す。楕円（円）断面形状導光筒（ＥＰＧＴ）１は一般には円形の断面をなし、光の出射とは反対方向の表面に反射機能をもたせたフィルム５を貼るか等を行う。この際、その立体角の大きさを調整することで、光の出射角度を数度から３６０度まで調整可能である。
フィルムの代わりに楕円断面形状導光筒（ＥＰＧＴ）１の表面に微細加工を行っても良い。
【００３４】図には明示していないが出射の表面にプリズムレンズ（ｐｒｉｓｍ  ｌｅｎｓ）やグレーテイング（ｇｒａｔｉｎｇ）を行う事で、楕円（円）断面形状導光筒（ＥＰＧＴ）１から外部への反射光の量を減らす事が可能で全体の実効的効率をあげている。
【００３５】変換効率のよいＬＥＤエミッターの大半は直流タイプの電源入力であり交流から直流への変換装置を必要とする。蛍光灯では安定器がこれに相当するがＬＥＤの場合はＬＥＤドライバーと呼ぶ事が多い。市販のＬＥＤドライバーは整流機能やその電流安定性や、ドライバーの変換効率（パワーファクターＰＦ）ドライバーの熱損失、さらにはドライバー自身に起因する高周波ノイズなどで一定の仕様の範囲内にあることが望ましい。
【００３６】本発明ではこのＬＥＤドライバーの部分を集積回路化した数ミリ角のＩＣチップを使用することで、全体の回路のコンパクト化と高い電力効率と安定化と信頼性をあげている。特にＬＥＤとドライバーはダイレクトに面接触でＩＣ  ＬＥＤドライバーと一体化してパッケージングしている。この全体をチップオンドライバー（ＣＯＤ）３と名づけハイスペックな製品を実現している。
【００３７】楕円（円）断面形状導光筒（ＥＰＧＴ）１とチップオンドライバー（ＣＯＤ）３を直接に光結合をした場合、一般には楕円（円）断面形状導光筒（ＥＰＧＴ）１の半径が小さくなり、光密度があがりすぎてしまい。裸眼でこれを直視すると人間の眼を痛めるケースが少なからずでてくる。一般にはＬＥＤチップも直視すると眼には耐えられないほど、光密度は高いので、楕円（円）断面形状導光筒（ＥＰＧＴ）１のほうの断面を広くとるほうが有利である。しかしながら、楕円（円）断面形状導光筒（ＥＰＧＴ）１をロッド（内部空間のない棒）の状態で使用すると重量が重くなり照明器具としては支障が生じる。本発明ではこの問題を解決するために、楕円（円）断面形状導光筒（ＥＰＧＴ）１を筒状にして内部空間を作り、問題を解決した。その一例が図１の楕円（円）断面形状導光筒（ＥＰＧＴ）１である。この楕円（円）断面形状導光筒（ＥＰＧＴ）１とチップオンドライバー（ＣＯＤ）３は断面径が異なるためにその間にインターフェースである光整合アダプター（ＯＭＡ）−Ｏｐｔｉｃａｌ  ｍａｔｃｈｉｎｇ  Ａｄａｐｔｏｒ）２を考案した。このＯＭＡは寸法の整合のほかに光を効率よく伝送する役割も兼ねている。図では示されていないが、反射機能と集光機能等と光接続の光学機能を備えている。
【００３８】本発明では照明装置としてのコンパクト化に重点をおいている。光出力が２０００ルーメン程度のきわめて明るい１．２ｍの蛍光灯型ＬＥＤ直管の電力は一般には２０Ｗ程度が必要とされる。眼に優しくするには直管の太さはＴ８（２５．５ｍｍ）程度が必要とされるので、片側だけでも１０Ｗ程度の電力のＬＥＤチップが必要とされる。直管の太さもインターフェースもＬＥＤチップの大きさも小さいので全体のバランスを考えるとヒートシンクも同程度のコンパクトさが要求される。
したがって従来よりも効率の良いすなわち熱伝達の優れた材料が求められる。
【００３９】本発明ではそのような材料としてＢＮ材料をベースにしてその複合物化合物を独自に開発を行った。これをその格別高い熱処理であることからマジックヒートシンク（ＭＭ−Ｍａｇｉｃ  Ｍａｔｅｒｉａｌ）４を末端に取り付けた。このＭＭ４はＬＥＤ照明装置に限らず産業界の至る所ですぐれた性能を発揮することが可能である。
【００４０】本具体的例では簡単のため水等の液体の封入例は省略している。特徴は熱的には結合しつつ、電気的には絶縁していることである。このため部品の取り扱いが格段に楽になる。
【００４１】図３にサークルライン蛍光灯型ＬＥＤ照明での実現例の図面を示している。この場合マジックヒートシンク（ＭＭ−Ｍａｇｉｃ  Ｍａｔｅｒｉａｌ）４は．楕円（円）断面形状円形導光筒（ＥＰＧＣＴ−Ｅｌｌｉｐｔｉｃ  Ｐｈｏｔｏ  Ｇｕｉｄｅ  Ｃｉｒｃｕｌａｒ  Ｔｕｂｅ）８の光軸に垂直の方向から取り付ける。中空のアクリル導光環の外表面の一部に反射膜５を配置し、残りの外表面をプリズムレンズまたはグレーテイングを配置している。
【００４２】図４に電球での実現例の図面を示している。中空のアクリル導光環７がここでは電球のバルブカバー９に変わっている。
【００４３】図５にフレキシブル導光ケーブル１１とその両端を光結合器１０で楕円（円）断面形状導光筒１と発熱部であるチップオンＬＥＤドライバー（ＣＯＤ−Ｃｈｉｐ  Ｏｎ  Ｄｒｉｖｅｒ）３を分離した様子を示す。本発明の最大の利点は発熱部３をアクセスのしやすいところに分離して設置し管理できることである。複数の発熱部を冷蔵庫などに別設置して低温状態で運転すれば、ＬＥＤチップを低温化で通電できるので、発光効率も高くなり、寿命も長くすることが可能となる。
【図面の簡単な説明】
【図１】直線状新蛍光灯型ＬＥＤ照明の一部。この図のように片側から光を導入する場合と両側から導入する場合に分けられる。
【図２】楕円（円）型断面形状導光筒（ＥＰＧＴ−Ｅｌｌｉｐｔｉｃ  Ｐｈｏｔｏ  Ｇｕｉｄｅ  Ｔｕｂｅ）１の断面  図。楕円形状に限らず任意の形状を含む。反射膜５とプリズムレンズ６の弧の比で出射角度の調整が可能である。
【図３】円形状（サークルライン）円形断面蛍光灯型ＬＥＤ照明８の全体図。
【図４】電球型ＬＥＤ照明の全体図。この方式では電球全体が光りつつその外部に光を取り出す事ができる。
【図５】フレキシブル導光ケーブルで楕円（円）断面形状導光筒とチップオンＬＥＤドライバー（ＣＯＤ−Ｃｈｉｐ  Ｏｎ  Ｄｒｉｖｅｒ）を分離して接続した図。発熱体の冷却をきわめて容易になる。
【符号の説明】１．．．楕円（円）断面形状導光筒（ＥＰＧＴ−Ｅｌｌｉｐｔｉｃ  Ｐｈｏｔｏ  Ｇｕｉｄｅ  Ｔｕｂｅ）
２．．．光整合アダプター（ＯＭＡ）−Ｏｐｔｉｃａｌ  ｍａｔｃｈｉｎｇ  Ａｄａｐｔｏｒ）
３．．．ＬＥＤ発光素子＋集積回路型＝チップオンＬＥＤドライバー（ＣＯＤ−Ｃｈｉｐ  Ｏｎ  Ｄｒｉｖｅｒ）
４．．．マジックヒートシンク（ＭＭ−Ｍａｇｉｃ  Ｍａｔｅｒｉａｌ）
５．．．反射膜
６．．．プリズムレンズまたはグレーテイング
７．．．サークルライン導光部への光整合アダプター（ＯＭＡ）からの接続部品
８．．．楕円（円）断面形状円形導光筒（ＥＰＧＣＴ−Ｅｌｌｉｐｔｉｃ  Ｐｈｏｔｏ  Ｇｕｉｄｅ  Ｃｉｒｃｕｌａｒ  Ｔｕｂｅ）
９．．．電球のバルブカバー
１０．．．光結合器
１１．．．フレキシブル導光ケーブル
【図１】
2011171262.tif 000003
【図２】
2011171262.tif 000004
【図３】
2011171262.tif 000005
【図４】
2011171262.tif 000006
【図５】
2011171262.tif 000007